(57)【要約】  本発明はＢＷＰの周波数ホッピング設定方法及びネットワーク装置、端末を提供する。本発明の実施例は異なるＢＷＰに対して異なる周波数領域オフセットセットを設定し、各ＢＷＰの帯域幅を十分に活用し、より大きな周波数選択性ゲインを得るよう、ＢＷＰの帯域幅以下で周波数ホッピングオフセットを最大にすることができ、それにより物理チャネルの伝送性能を向上させる。
2021515430.tif 000002
【特許請求の範囲】
【請求項１】
ＢＷＰの周波数ホッピング設定方法であって、
ネットワーク装置は物理チャネルを伝送する第１設定情報を端末に送信し、前記第１設定情報は、少なくとも１つのＢＷＰのうちの各ＢＷＰにそれぞれ設定した少なくとも１つの周波数領域オフセットを示すことに用いられることを含むことを特徴とするＢＷＰの周波数ホッピング設定方法。
【請求項２】
前記物理チャネルは物理アップリンク共有チャネル、物理ダウンリンク共有チャネル、物理アップリンク制御チャネル及び物理ダウンリンク制御チャネルのうちの少なくとも１つを含むことを特徴とする請求項１に記載の方法。
【請求項３】
前記ネットワーク装置が物理チャネルを伝送する第１設定情報を端末に送信することは、
前記ネットワーク装置がＲＲＣシグナリング又はシステムブロードキャストメッセージによって前記端末に前記第１設定情報を送信することを含むことを特徴とする請求項１に記載の方法。
【請求項４】
前記ネットワーク装置が物理チャネルを伝送する第１設定情報を端末に送信した後、更に、
前記ネットワーク装置が前記少なくとも１つのＢＷＰのうちの１つのアクティブ化されたＢＷＰを示すための第１制御情報を前記端末に送信することを含むことを特徴とする請求項１に記載の方法。
【請求項５】
前記ネットワーク装置が前記端末に第１制御情報を送信することは、
前記ネットワーク装置がダウンリンク制御情報又は媒体アクセス制御制御要素メッセージによって、前記端末に前記第１制御情報を送信することを含むことを特徴とする請求項４に記載の方法。
【請求項６】
前記ネットワーク装置が物理チャネルを伝送する第１設定情報を端末に送信した後、更に、
前記ネットワーク装置が前記少なくとも１つの周波数領域オフセットのうちの１つの使用される周波数領域オフセットを示すための第２制御情報を前記端末に送信することを含むことを特徴とする請求項１に記載の方法。
【請求項７】
前記ネットワーク装置が前記端末に第２制御情報を送信することは、
前記ネットワーク装置がダウンリンク制御情報又は媒体アクセス制御制御要素メッセージによって、前記端末に前記第２制御情報を送信することを含むことを特徴とする請求項６に記載の方法。
【請求項８】
前記ネットワーク装置が物理チャネルを伝送する第１設定情報を端末に送信した後、更に、
前記ネットワーク装置が前記物理チャネルを伝送する第１周波数領域リソースのアクティブ化されたＢＷＰでの位置を示すための第３制御情報を前記端末に送信することを含むことを特徴とする請求項１に記載の方法。
【請求項９】
前記ネットワーク装置が前記端末に第３制御情報を送信することは、
前記ネットワーク装置がダウンリンク制御情報又は媒体アクセス制御制御要素メッセージによって、前記端末に前記第３制御情報を送信することを含むことを特徴とする請求項８に記載の方法。
【請求項１０】
前記ネットワーク装置が物理チャネルを伝送する第１設定情報を端末に送信した後、更に、
前記ネットワーク装置が前記物理チャネルを伝送する第１周波数領域リソース及び前記物理チャネルを伝送する第２周波数領域リソースにおいて、前記端末とともに前記物理チャネルを伝送することを含み、前記第２周波数領域リソースのアクティブ化されたＢＷＰでの位置がアクティブ化されたＢＷＰの帯域幅、使用される周波数領域オフセット及び前記物理チャネルを伝送する第１周波数領域リソースのアクティブ化されたＢＷＰでの位置に基づいて、公式Ｒ２＝（Ｒ１＋Ｗｏｆｆｓｅｔ）ｍｏｄ  Ｗによって決定されたものであり、Ｒ２が前記第２周波数領域リソースのアクティブ化されたＢＷＰでの位置であり、Ｒ１が前記第１周波数領域リソースのアクティブ化されたＢＷＰでの位置であり、Ｗｏｆｆｓｅｔが使用される周波数領域オフセットであり、Ｗがアクティブ化されたＢＷＰの帯域幅であることを特徴とする請求項１〜９のいずれか１項に記載の方法。
【請求項１１】
ＢＷＰの周波数ホッピング設定方法であって、
端末はネットワーク装置から送信された物理チャネルを伝送する第１設定情報を受信し、前記第１設定情報は、少なくとも１つのＢＷＰのうちの各ＢＷＰにそれぞれ設定した少なくとも１つの周波数領域オフセットを示すことに用いられることと、
前記端末は前記第１設定情報に基づいて、前記各ＢＷＰの少なくとも１つの周波数領域オフセットを決定することと、を含むことを特徴とするＢＷＰの周波数ホッピング設定方法。
【請求項１２】
前記物理チャネルが物理アップリンク共有チャネル、物理ダウンリンク共有チャネル、物理アップリンク制御チャネル及び物理ダウンリンク制御チャネルのうちの少なくとも１つを含むことを特徴とする請求項１１に記載の方法。
【請求項１３】
前記端末がネットワーク装置から送信された物理チャネルを伝送する第１設定情報を受信することは、
前記端末が、前記ネットワーク装置がＲＲＣシグナリング又はシステムブロードキャストメッセージによって送信した前記第１設定情報を受信することを含むことを特徴とする請求項１１に記載の方法。
【請求項１４】
前記端末がネットワーク装置から送信された物理チャネルを伝送する第１設定情報を受信した後、更に、
前記端末が前記ネットワーク装置から送信された、前記少なくとも１つのＢＷＰのうちの１つのアクティブ化されたＢＷＰを示すための第１制御情報を受信することと、
前記端末が前記１つのアクティブ化されたＢＷＰの少なくとも１つの周波数領域オフセットを決定することと、を含むことを特徴とする請求項１１に記載の方法。
【請求項１５】
前記端末が前記ネットワーク装置から送信された第１制御情報を受信することは、
前記端末が、前記ネットワーク装置がダウンリンク制御情報又は媒体アクセス制御制御要素メッセージによって送信した前記第１制御情報を受信することを含むことを特徴とする請求項１４に記載の方法。
【請求項１６】
前記端末がネットワーク装置から送信された物理チャネルを伝送する第１設定情報を受信した後、更に、
前記端末が前記ネットワーク装置から送信された、前記少なくとも１つの周波数領域オフセットのうちの１つの使用される周波数領域オフセットを示すための第２制御情報を受信することと、
前記端末がアクティブ化されたＢＷＰの１つの使用される周波数領域オフセットを決定することと、を含むことを特徴とする請求項１１に記載の方法。
【請求項１７】
前記端末が前記ネットワーク装置から送信された第２制御情報を受信することは、
前記端末が、前記ネットワーク装置がダウンリンク制御情報又は媒体アクセス制御制御要素メッセージによって送信した前記第２制御情報を受信することを含むことを特徴とする請求項１６に記載の方法。
【請求項１８】
前記端末がネットワーク装置から送信された物理チャネルを伝送する第１設定情報を受信した後、更に、
前記端末が前記ネットワーク装置から送信された、前記物理チャネルを伝送する第１周波数領域リソースのアクティブ化されたＢＷＰでの位置を示すための第３制御情報を受信することを含むことを特徴とする請求項１１に記載の方法。
【請求項１９】
前記端末が前記ネットワーク装置から送信された第３制御情報を受信することは、
前記端末が、前記ネットワーク装置がダウンリンク制御情報又は媒体アクセス制御制御要素メッセージによって送信した前記第３制御情報を受信することを含むことを特徴とする請求項１８に記載の方法。
【請求項２０】
前記端末がネットワーク装置から送信された物理チャネルを伝送する第１設定情報を受信した後、更に、
前記端末がアクティブ化されたＢＷＰの帯域幅、使用される周波数領域オフセット及び前記物理チャネルを伝送する第１周波数領域リソースのアクティブ化されたＢＷＰでの位置に基づき、公式Ｒ２＝（Ｒ１＋Ｗｏｆｆｓｅｔ）ｍｏｄ  Ｗによって前記物理チャネルを伝送する第２周波数領域リソースのアクティブ化されたＢＷＰでの位置を決定し、Ｒ２が前記第２周波数領域リソースのアクティブ化されたＢＷＰでの位置であり、Ｒ１が前記第１周波数領域リソースのアクティブ化されたＢＷＰでの位置であり、Ｗｏｆｆｓｅｔが使用される周波数領域オフセットであり、Ｗがアクティブ化されたＢＷＰの帯域幅であることと、
前記端末が前記第１周波数領域リソース及び前記第２周波数領域リソースにおいて、前記ネットワーク装置とともに前記物理チャネルを伝送することと、を含むことを特徴とする請求項１１〜１９のいずれか１項に記載の方法。
【請求項２１】
ネットワーク装置であって、
物理チャネルを伝送する、少なくとも１つのＢＷＰのうちの各ＢＷＰにそれぞれ設定した少なくとも１つの周波数領域オフセットを示すための第１設定情報を端末に送信することに用いられる送信ユニットを備えることを特徴とするネットワーク装置。
【請求項２２】
前記物理チャネルが物理アップリンク共有チャネル、物理ダウンリンク共有チャネル、物理アップリンク制御チャネル及び物理ダウンリンク制御チャネルのうちの少なくとも１つを含むことを特徴とする請求項２１に記載のネットワーク装置。
【請求項２３】
前記送信ユニットは、具体的に、
ＲＲＣシグナリング又はシステムブロードキャストメッセージによって前記端末に前記第１設定情報を送信することに用いられることを特徴とする請求項２１に記載のネットワーク装置。
【請求項２４】
前記送信ユニットは、更に、
前記少なくとも１つのＢＷＰのうちの１つのアクティブ化されたＢＷＰを示すための第１制御情報を前記端末に送信することに用いられることを特徴とする請求項２１に記載のネットワーク装置。
【請求項２５】
前記送信ユニットは、具体的に、
ダウンリンク制御情報又は媒体アクセス制御制御要素メッセージによって前記端末に前記第１制御情報を送信することに用いられることを特徴とする請求項２４に記載のネットワーク装置。
【請求項２６】
前記送信ユニットは、更に、
前記少なくとも１つの周波数領域オフセットのうちの１つの使用される周波数領域オフセットを示すための第２制御情報を前記端末に送信することに用いられることを特徴とする請求項２１に記載のネットワーク装置。
【請求項２７】
前記送信ユニットは、具体的に、
ダウンリンク制御情報又は媒体アクセス制御制御要素メッセージによって前記端末に前記第２制御情報を送信することに用いられることを特徴とする請求項２６に記載のネットワーク装置。
【請求項２８】
前記送信ユニットは、更に、
前記物理チャネルを伝送する第１周波数領域リソースのアクティブ化されたＢＷＰでの位置を示すための第３制御情報を前記端末に送信することに用いられることを特徴とする請求項２１に記載のネットワーク装置。
【請求項２９】
前記送信ユニットは、具体的に、
ダウンリンク制御情報又は媒体アクセス制御制御要素メッセージによって前記端末に前記第３制御情報を送信することに用いられることを特徴とする請求項２８に記載のネットワーク装置。
【請求項３０】
前記ネットワーク装置は更に伝送ユニットを備え、前記伝送ユニットは、
前記物理チャネルを伝送する第１周波数領域リソース及び前記物理チャネルを伝送する第２周波数領域リソースにおいて、前記端末とともに前記物理チャネルを伝送することに用いられ、前記第２周波数領域リソースのアクティブ化されたＢＷＰでの位置がアクティブ化されたＢＷＰの帯域幅、使用される周波数領域オフセット及び前記物理チャネルを伝送する第１周波数領域リソースのアクティブ化されたＢＷＰでの位置に基づいて公式Ｒ２＝（Ｒ１＋Ｗｏｆｆｓｅｔ）ｍｏｄ  Ｗによって決定されたものであり、Ｒ２が前記第２周波数領域リソースのアクティブ化されたＢＷＰでの位置であり、Ｒ１が前記第１周波数領域リソースのアクティブ化されたＢＷＰでの位置であり、Ｗｏｆｆｓｅｔが使用される周波数領域オフセットであり、Ｗがアクティブ化されたＢＷＰの帯域幅であることを特徴とする請求項２１〜２９のいずれか１項に記載のネットワーク装置。
【請求項３１】
端末であって、
ネットワーク装置から送信された物理チャネルを伝送する、少なくとも１つのＢＷＰのうちの各ＢＷＰにそれぞれ設定した少なくとも１つの周波数領域オフセットを示すための第１設定情報を受信することに用いられる受信ユニットと、
前記第１設定情報に基づいて前記各ＢＷＰの少なくとも１つの周波数領域オフセットを決定することに用いられる決定ユニットと、を備えることを特徴とする端末。
【請求項３２】
前記物理チャネルが物理アップリンク共有チャネル、物理ダウンリンク共有チャネル、物理アップリンク制御チャネル及び物理ダウンリンク制御チャネルのうちの少なくとも１つを含むことを特徴とする請求項３１に記載の端末。
【請求項３３】
前記受信ユニットは、具体的に、
前記ネットワーク装置ＲＲＣシグナリング又はシステムブロードキャストメッセージによって送信した前記第１設定情報を受信することに用いられることを特徴とする請求項３１に記載の端末。
【請求項３４】
前記受信ユニットは、更に、
前記ネットワーク装置から送信された、前記少なくとも１つのＢＷＰのうちの１つのアクティブ化されたＢＷＰを示すための第１制御情報を受信することに用いられることを特徴とする請求項３１に記載の端末。
【請求項３５】
前記受信ユニットは、具体的に、
前記ネットワーク装置がダウンリンク制御情報又は媒体アクセス制御制御要素メッセージによって送信した前記第１制御情報を受信することに用いられることを特徴とする請求項３４に記載の端末。
【請求項３６】
前記受信ユニットは、更に、
前記ネットワーク装置から送信された、前記少なくとも１つの周波数領域オフセットのうちの１つの使用される周波数領域オフセットを示すための第２制御情報を受信することに用いられ、
前記決定ユニットは、更に、
前記１つのアクティブ化されたＢＷＰの少なくとも１つの周波数領域オフセットを決定することに用いられることを特徴とする請求項３１に記載の端末。
【請求項３７】
前記受信ユニットは、具体的に、
前記ネットワーク装置がダウンリンク制御情報又は媒体アクセス制御制御要素メッセージによって送信した前記第２制御情報を受信することに用いられることを特徴とする請求項３６に記載の端末。
【請求項３８】
前記受信ユニットは、更に、
前記ネットワーク装置から送信された、前記物理チャネルを伝送する第１周波数領域リソースのアクティブ化されたＢＷＰでの位置を示すための第３制御情報を受信することに用いられ、
前記決定ユニットは、更に、
アクティブ化されたＢＷＰの１つの使用される周波数領域オフセットを決定することに用いられることを特徴とする請求項３１に記載の端末。
【請求項３９】
前記受信ユニットは、具体的に、
前記ネットワーク装置がダウンリンク制御情報又は媒体アクセス制御制御要素メッセージによって送信した前記第３制御情報を受信することに用いられることを特徴とする請求項３８に記載の端末。
【請求項４０】
前記端末は更に伝送ユニットを備え、前記伝送ユニットは、
アクティブ化されたＢＷＰの帯域幅、使用される周波数領域オフセット及び前記物理チャネルを伝送する第１周波数領域リソースのアクティブ化されたＢＷＰでの位置に基づき、公式Ｒ２＝（Ｒ１＋Ｗｏｆｆｓｅｔ）ｍｏｄ  Ｗによって前記物理チャネルを伝送する第２周波数領域リソースのアクティブ化されたＢＷＰでの位置を決定し、Ｒ２が前記第２周波数領域リソースのアクティブ化されたＢＷＰでの位置であり、Ｒ１が前記第１周波数領域リソースのアクティブ化されたＢＷＰでの位置であり、Ｗｏｆｆｓｅｔが使用される周波数領域オフセットであり、Ｗがアクティブ化されたＢＷＰの帯域幅であることと、
前記第１周波数領域リソース及び前記第２周波数領域リソースにおいて、前記ネットワーク装置とともに前記物理チャネルを伝送することと、に用いられることを特徴とする請求項３１〜３９のいずれか１項に記載の端末。
【発明の詳細な説明】
【技術分野】
【０００１】
本発明は無線アクセス技術に関し、特に帯域幅部分（ＢＷＰ、Ｂａｎｄｗｉｄｔｈ  Ｐａｒｔ）の周波数ホッピング設定方法及びネットワーク装置、端末に関する。
【背景技術】
【０００２】
新無線（ＮＲ、Ｎｅｗ  Ｒａｄｉｏ）システム、例えば５Ｇ応用シーンにおいて、物理チャネルは周波数ホッピング技術を用いて周波数選択性ゲインを取得し、物理チャネルの伝送性能を向上させてもよい。帯域幅部分（ＢＷＰ、Ｂａｎｄｗｉｄｔｈ  Ｐａｒｔ）の概念を導入した後、１つの端末に複数のＢＷＰが設定されてもよいため、最小帯域幅のＢＷＰに基づき、物理チャネルの周波数領域オフセットを統合して設定することにより、物理チャネルの各ＢＷＰでの周波数ホッピングを実現することができる。
【０００３】
ところが、最小帯域幅のＢＷＰに基づき、物理チャネルの周波数領域オフセットを統合して設定することにより、より大きな帯域幅のＢＷＰの一層大きな帯域幅を十分に活用して一層大きな振幅の周波数ホッピングを実現できないため、周波数選択性ゲインを制限し、物理チャネルの伝送性能が低下してしまう。
【発明の概要】
【発明が解決しようとする課題】
【０００４】
本発明の複数の態様は物理チャネルの伝送性能を向上させるためのＢＷＰの周波数ホッピング設定方法及びネットワーク装置、端末を提供する。
【課題を解決するための手段】
【０００５】
本発明の一態様はＢＷＰの周波数ホッピング設定方法を提供し、
ネットワーク装置が物理チャネルを伝送する第１設定情報を端末に送信し、前記第１設定情報は、少なくとも１つのＢＷＰのうちの各ＢＷＰにそれぞれ設定した少なくとも１つの周波数領域オフセットを示すことに用いられることを含む。
【０００６】
本発明の他の態様は他のＢＷＰの周波数ホッピング設定方法を提供し、
端末がネットワーク装置から送信された物理チャネルを伝送する第１設定情報を受信し、前記第１設定情報は、少なくとも１つのＢＷＰのうちの各ＢＷＰにそれぞれ設定した少なくとも１つの周波数領域オフセットを示すことに用いられることと、
前記端末が前記第１設定情報に基づいて、前記各ＢＷＰの少なくとも１つの周波数領域オフセットを決定することと、を含む。
【０００７】
本発明の他の態様はネットワーク装置を提供し、
物理チャネルを伝送する、少なくとも１つのＢＷＰのうちの各ＢＷＰにそれぞれ設定した少なくとも１つの周波数領域オフセットを示すための第１設定情報を端末に送信することに用いられる送信ユニットを備える。
【０００８】
本発明の他の態様は端末を提供し、
ネットワーク装置から送信された物理チャネルを伝送する、少なくとも１つのＢＷＰのうちの各ＢＷＰにそれぞれ設定した少なくとも１つの周波数領域オフセットを示すための第１設定情報を受信することに用いられる受信ユニットと、
前記第１設定情報に基づいて前記各ＢＷＰの少なくとも１つの周波数領域オフセットを決定することに用いられる決定ユニットと、を備える。
【発明の効果】
【０００９】
上記技術案によれば、一方では、本発明の実施例はネットワーク装置が物理チャネルを伝送する第１設定情報を端末に送信し、前記第１設定情報は、少なくとも１つのＢＷＰのうちの各ＢＷＰにそれぞれ設定した少なくとも１つの周波数領域オフセットを示すことに用いられることにより、異なるＢＷＰに対して異なる周波数領域オフセットセットを設定し、各ＢＷＰの帯域幅を十分に活用し、より大きな周波数選択性ゲインを得るよう、ＢＷＰの帯域幅以下で周波数ホッピングオフセットを最大にすることができ、それにより物理チャネルの伝送性能を向上させる。
【００１０】
上記技術案によれば、他方では、本発明の実施例は端末がネットワーク装置から送信された物理チャネルを伝送する第１設定情報を受信し、前記第１設定情報は、少なくとも１つのＢＷＰのうちの各ＢＷＰにそれぞれ設定した少なくとも１つの周波数領域オフセットを示すことに用いられ、更に前記第１設定情報に基づいて前記各ＢＷＰの少なくとも１つの周波数領域オフセットを決定することにより、異なるＢＷＰに対して異なる周波数領域オフセットセットを設定し、各ＢＷＰの帯域幅を十分に活用し、より大きな周波数選択性ゲインを得るよう、ＢＷＰの帯域幅以下で周波数ホッピングオフセットを最大にすることができ、それにより物理チャネルの伝送性能を向上させる。
【図面の簡単な説明】
【００１１】
本発明の実施例の技術案をより明確に説明するために、以下に実施例又は従来技術の記述において必要な図面を用いて簡単に説明を行うが、当然ながら、以下に記載する図面は単に本発明の実施例の一例であって、当業者であれば、創造的な労力を要することなく、これらの図面に基づいて他の図面に想到しうる。
【００１２】
【図１Ａ】図１Ａは本発明の一実施例に係るＢＷＰの周波数ホッピング設定方法の模式的なフローチャートである。
【図１Ｂ】図１Ｂは図１Ａに対応する実施例に係る周波数領域オフセットの設定を示す模式図である。
【図１Ｃ】図１Ｃは図１Ａに対応する実施例に係る他の周波数領域オフセットの設定を示す模式図である。
【図２Ａ】図２Ａは本発明の他の実施例に係る他のＢＷＰの周波数ホッピング設定方法の模式的なフローチャートである。
【図２Ｂ】図２Ｂは本発明の他の実施例に係る他のＢＷＰの周波数ホッピング設定方法の模式的なフローチャートである。
【図３Ａ】図３Ａは本発明の他の実施例に係るネットワーク装置の構造模式図である。
【図３Ｂ】図３Ｂは本発明の他の実施例に係る他のネットワーク装置の構造模式図である。
【図４Ａ】図４Ａは本発明の他の実施例に係る端末の構造模式図である。
【図４Ｂ】図４Ｂは本発明の他の実施例に係る他の端末の構造模式図である。
【発明を実施するための形態】
【００１３】
本発明の実施例の目的、技術案及び利点をより明確にするために、以下に本発明の実施例の図面を参照しながら本発明の実施例の技術案を明確且つ完全に説明し、明らかに、説明される実施例は本発明の実施例の一部であり、実施例のすべてではない。本発明の実施例に基づき、当業者が進歩性のある労働を必要とせずに得られる他の実施例は、いずれも本発明の保護範囲に属する。
【００１４】
本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００１５】
本発明の要旨は、異なるＢＷＰに対して異なる周波数領域オフセットセットを設定し、各ＢＷＰの帯域幅を十分に活用し、より大きな周波数選択性ゲインを得るよう、ＢＷＰの帯域幅以下で周波数ホッピングオフセットを最大にすることができ、それにより物理チャネルの伝送性能を向上させることである。
【００１６】
図１Ａは本発明の一実施例に係るＢＷＰの周波数ホッピング設定方法の模式的なフローチャートであり、図１Ａに示される。
【００１７】
１０１、ネットワーク装置は物理チャネルを伝送する第１設定情報を端末に送信し、前記第１設定情報は、少なくとも１つのＢＷＰのうちの各ＢＷＰにそれぞれ設定した少なくとも１つの周波数領域オフセットを示すことに用いられる。
【００１８】
周波数領域オフセットは周波数ホッピングの２つのジャンプの間の周波数オフセット（ｆｒｅｑｕｅｎｃｙ  ｏｆｆｓｅｔ）を指し、リソースブロック（ＲＢ、Ｒｅｓｏｕｒｃｅ  Ｂｌｏｃｋ）の数で示されてもよい。
【００１９】
選択肢として、本実施例の可能な実現方式では、前記物理チャネルは物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）及び物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）のうちの少なくとも１つを含んでもよいが、それらに限らない。
【００２０】
選択肢として、本実施例の可能な実現方式では、１０１では、ネットワーク装置は具体的に、高位レイヤシグナリング又はシステムブロードキャストメッセージによって、物理チャネルを伝送する第１設定情報を端末に送信してもよい。
【００２１】
例えば、前記高位レイヤシグナリングは無線リソース制御（ＲＲＣ、Ｒａｄｉｏ  Ｒｅｓｏｕｒｃｅ  Ｃｏｎｔｒｏｌ）シグナリングであってもよく、具体的にＲＲＣシグナリングにおける情報要素（ＩＥ、Ｉｎｆｏｒｍａｔｉｏｎ  Ｅｌｅｍｅｎｔ）に前記第１設定情報を含ませてもよく、前記ＲＲＣシグナリングは従来技術におけるＲＲＣシグナリング、例えばＲＲＣコネクション再設定（ＲＲＣ  ＣＯＮＮＥＣＴＩＯＮ  ＲＥＣＯＮＦＩＧＵＲＡＴＩＯＮ）メッセージ等であってもよく、本実施例は制限せず、従来のＲＲＣシグナリングのＩＥを拡張することにより前記第１設定情報を搬送し、又は前記ＲＲＣシグナリングが従来技術における従来のＲＲＣシグナリングと異なるものであってもよい。
【００２２】
更に、例えば、具体的に前記システムブロードキャストメッセージにおける従来のマスタ情報ブロック（ＭＩＢ、Ｍａｓｔｅｒ  Ｉｎｆｏｒｍａｔｉｏｎ  Ｂｌｏｃｋ）又は（ＳＩＢ、Ｓｙｓｔｅｍ  Ｉｎｆｏｒｍａｔｉｏｎ  Ｂｌｏｃｋ）の空きビット（ｂｉｔ）に前記第１設定情報を含ませてもよく、新しいＳＩＢを追加して前記第１設定情報を搬送してもよい。
【００２３】
本発明では、ネットワーク装置は更に前記少なくとも１つのＢＷＰを設定することを示すための第２設定情報を前記端末に送信してもよい。端末は第２設定情報を受信した後、前記少なくとも１つのＢＷＰのうちの各ＢＷＰの位置を決定してもよい。
【００２４】
具体的には、ネットワーク装置は具体的に高位レイヤシグナリング又はシステムブロードキャストメッセージによって、端末に第２設定情報を送信してもよい。
【００２５】
例えば、前記高位レイヤシグナリングは無線リソース制御（ＲＲＣ、Ｒａｄｉｏ  Ｒｅｓｏｕｒｃｅ  Ｃｏｎｔｒｏｌ）シグナリングであってもよく、具体的にＲＲＣシグナリングにおける情報要素（ＩＥ、Ｉｎｆｏｒｍａｔｉｏｎ  Ｅｌｅｍｅｎｔ）に前記第２設定情報を含ませてもよく、前記ＲＲＣシグナリングは従来技術におけるＲＲＣシグナリング、例えばＲＲＣコネクション再設定（ＲＲＣ  ＣＯＮＮＥＣＴＩＯＮ  ＲＥＣＯＮＦＩＧＵＲＡＴＩＯＮ）メッセージ等であってもよく、本実施例は制限せず、従来のＲＲＣシグナリングのＩＥを拡張することにより前記第２設定情報を搬送し、又は前記ＲＲＣシグナリングが従来技術における従来のＲＲＣシグナリングと異なるものであってもよい。
【００２６】
更に、例えば、具体的に前記システムブロードキャストメッセージにおける従来のマスタ情報ブロック（ＭＩＢ、Ｍａｓｔｅｒ  Ｉｎｆｏｒｍａｔｉｏｎ  Ｂｌｏｃｋ）又は（ＳＩＢ、Ｓｙｓｔｅｍ  Ｉｎｆｏｒｍａｔｉｏｎ  Ｂｌｏｃｋ）の空きビット（ｂｉｔ）に前記第２設定情報を含ませてもよく、新しいＳＩＢを追加して前記第２設定情報を搬送してもよい。
【００２７】
選択肢として、本実施例の可能な実現方式では、１０１の後で、前記ネットワーク装置は更に、前記少なくとも１つのＢＷＰのうちの１つのアクティブ化されたＢＷＰを示すための第１制御情報を前記端末に送信してもよい。このように、端末は第１制御情報を受信した後、前記１つのアクティブ化されたＢＷＰの少なくとも１つの周波数領域オフセットを決定できる。
【００２８】
具体的には、ネットワーク装置は具体的にダウンリンク制御情報（ＤＣＩ、Ｄｏｗｎｌｉｎｋ  Ｃｏｎｔｒｏｌ  Ｉｎｆｏｒｍａｔｉｏｎ）又は高位レイヤシグナリングによって端末に第１制御情報を送信してもよい。
【００２９】
例えば、前記高位レイヤシグナリングは媒体アクセス制御（ＭＡＣ、Ｍｅｄｉａ  Ａｃｃｅｓｓ  Ｃｏｎｔｒｏｌ）制御要素（ＣＥ、Ｃｏｎｔｒｏｌ  Ｅｌｅｍｅｎｔ）メッセージであってもよく、具体的に更に新しいＭＡＣ  ＣＥメッセージを追加して前記第１制御情報を搬送してもよい。
【００３０】
選択肢として、本実施例の可能な実現方式では、１０１の後で、前記ネットワーク装置は更に、前記少なくとも１つの周波数領域オフセットのうちの１つの使用される周波数領域オフセットを示すための第２制御情報を前記端末に送信する。このように、端末は第２制御情報を受信した後、アクティブ化されたＢＷＰの１つの使用される周波数領域オフセットを決定できる。
【００３１】
具体的には、ネットワーク装置は具体的にダウンリンク制御情報（ＤＣＩ、Ｄｏｗｎｌｉｎｋ  Ｃｏｎｔｒｏｌ  Ｉｎｆｏｒｍａｔｉｏｎ）又は高位レイヤシグナリングによって端末に第２制御情報を送信してもよい。
【００３２】
例えば、前記高位レイヤシグナリングは媒体アクセス制御（ＭＡＣ、Ｍｅｄｉａ  Ａｃｃｅｓｓ  Ｃｏｎｔｒｏｌ）制御要素（ＣＥ、Ｃｏｎｔｒｏｌ  Ｅｌｅｍｅｎｔ）メッセージであってもよく、具体的に新しいＭＡＣ  ＣＥメッセージを追加して前記第２制御情報を搬送してもよい。
【００３３】
選択肢として、本実施例の可能な実現方式では、１０１の後で、前記ネットワーク装置は更に、前記物理チャネルを伝送する第１周波数領域リソースのアクティブ化されたＢＷＰでの位置を示すための第３制御情報を前記端末に送信してもよい。
【００３４】
具体的には、ネットワーク装置は具体的にダウンリンク制御情報（ＤＣＩ、Ｄｏｗｎｌｉｎｋ  Ｃｏｎｔｒｏｌ  Ｉｎｆｏｒｍａｔｉｏｎ）又は高位レイヤシグナリングによって端末に第３制御情報を送信してもよい。
【００３５】
例えば、前記高位レイヤシグナリングは媒体アクセス制御（ＭＡＣ、Ｍｅｄｉａ  Ａｃｃｅｓｓ  Ｃｏｎｔｒｏｌ）制御要素（ＣＥ、Ｃｏｎｔｒｏｌ  Ｅｌｅｍｅｎｔ）メッセージであってもよく、具体的に新しいＭＡＣ  ＣＥメッセージを追加して前記第３制御情報を搬送してもよい。
【００３６】
選択肢として、本実施例の可能な実現方式では、１０１の後で、前記ネットワーク装置は更に、前記物理チャネルを伝送する第１周波数領域リソース及び前記物理チャネルを伝送する第２周波数領域リソースにおいて、前記端末とともに前記物理チャネルを伝送してもよく、前記第２周波数領域リソースのアクティブ化されたＢＷＰでの位置が公式Ｒ２＝（Ｒ１＋Ｗｏｆｆｓｅｔ）ｍｏｄ  Ｗによって決定されたものである。Ｒ２が前記第２周波数領域リソースのアクティブ化されたＢＷＰでの位置であり、Ｒ１が前記第１周波数領域リソースのアクティブ化されたＢＷＰでの位置であり、Ｗｏｆｆｓｅｔが使用される周波数領域オフセットであり、Ｗがアクティブ化されたＢＷＰの帯域幅である。
【００３７】
なお、ネットワーク装置は更に高位レイヤシグナリング又はシステムブロードキャストメッセージによって前記端末に前記第１制御情報、前記第２制御情報及び前記第３制御情報のうちの少なくとも１つを送信しなくてもよい。このように、端末は予め設定されたものに基づいて前記第１制御情報、前記第２制御情報及び前記第３制御情報のうちの少なくとも１つで示される内容、例えば、プロトコルにおける決められたものを取得してもよい。
【００３８】
本発明の実施例に係る方法をより明確にするために、以下に異なるＢＷＰに対して１つの異なる周波数領域オフセットを設定する場合、及び異なるＢＷＰに対して２つの異なる周波数領域オフセットセットを設定する場合を例とする。
【００３９】
図１Ｂは図１Ａに対応する実施例に係る周波数領域オフセットの設定を示す模式図である。図１Ｂに示すように、端末に２つのＢＷＰ、すなわちＢＷＰ１及びＢＷＰ２を設定し、ＢＷＰ１の帯域幅がＷ１であり、ＢＷＰ２の帯域幅がＷ２であり、ＢＷＰ１に対して周波数領域オフセットＷｏｆｆｓｅｔ１を設定し、ＢＷＰ２に対して周波数領域オフセットＷｏｆｆｓｅｔ２を設定すると仮定する。
【００４０】
ＢＷＰ１がアクティブ化された場合、端末はＷｏｆｆｓｅｔ１及び第１周波数領域リソースの位置、すなわち第１ジャンプの周波数領域位置Ｒ１に基づき、第２周波数領域リソースの位置、すなわち第２ジャンプの周波数領域位置Ｒ２＝（Ｒ１＋Ｗｏｆｆｓｅｔ１）ｍｏｄ  Ｗ１であると決定する。
【００４１】
ＢＷＰ２がアクティブ化された場合、端末はＷｏｆｆｓｅｔ２及び第１ジャンプの周波数領域位置Ｒ１に基づき、第２ジャンプの周波数領域位置Ｒ２＝（Ｒ１＋Ｗｏｆｆｓｅｔ２）ｍｏｄ  Ｗ２を決定する。
【００４２】
図１Ｃは図１Ａに対応する実施例に係る他の周波数領域オフセットの設定を示す模式図である。図１Ｃに示すように、端末に２つのＢＷＰ、すなわちＢＷＰ１及びＢＷＰ２を設定し、ＢＷＰ１の帯域幅がＷ１であり、ＢＷＰ２の帯域幅がＷ２であり、ＢＷＰ１に対して２種類の周波数領域オフセット、すなわちＷｏｆｆｓｅｔ１＿１及びＷｏｆｆｓｅｔ１＿２を設定し、ＢＷＰ２に対して２種類の周波数領域オフセット、すなわちＷｏｆｆｓｅｔ２＿１及びＷｏｆｆｓｅｔ２＿２を設定すると仮定する。
【００４３】
ＢＷＰ１がアクティブ化されて、基地局は端末が第１種類の周波数領域オフセットＷｏｆｆｓｅｔ１＿１を用いることを示す場合、端末はＷｏｆｆｓｅｔ１＿１及び第１ジャンプの周波数領域位置Ｒ１に基づき、第２ジャンプの周波数領域位置Ｒ２＝（Ｒ１＋Ｗｏｆｆｓｅｔ１＿１）ｍｏｄ  Ｗ１であると決定する。
【００４４】
ＢＷＰ１がアクティブ化されて、基地局は端末が第２種類の周波数領域オフセットＷｏｆｆｓｅｔ１＿２を用いることを示す場合、端末はＷｏｆｆｓｅｔ１＿２及び第１ジャンプの周波数領域位置Ｒ１に基づき、第２ジャンプの周波数領域位置Ｒ２＝（Ｒ１＋Ｗｏｆｆｓｅｔ１＿２）ｍｏｄ  Ｗ１であると決定する。
【００４５】
ＢＷＰ２がアクティブ化されて、基地局は端末が第１種類の周波数領域オフセットＷｏｆｆｓｅｔ２＿１を用いることを示す場合、端末はＷｏｆｆｓｅｔ２＿１及び第１ジャンプの周波数領域位置Ｒ１に基づき、第２ジャンプの周波数領域位置Ｒ２＝（Ｒ１＋Ｗｏｆｆｓｅｔ２＿１）ｍｏｄ  Ｗ１であると決定する。
【００４６】
ＢＷＰ２がアクティブ化されて、基地局は端末が第２種類の周波数領域オフセットＷｏｆｆｓｅｔ２＿２を用いることを示す場合、端末はＷｏｆｆｓｅｔ２＿２及び第１ジャンプの周波数領域位置Ｒ１に基づき、第２ジャンプの周波数領域位置Ｒ２＝（Ｒ１＋Ｗｏｆｆｓｅｔ２＿２）ｍｏｄ  Ｗ１であると決定する。
【００４７】
本実施例では、ネットワーク装置が物理チャネルを伝送する第１設定情報を端末に送信し、前記第１設定情報は、少なくとも１つのＢＷＰのうちの各ＢＷＰにそれぞれ設定した少なくとも１つの周波数領域オフセットを示すことに用いられることにより、異なるＢＷＰに対して異なる周波数領域オフセットセットを設定し、各ＢＷＰの帯域幅を十分に活用し、より大きな周波数選択性ゲインを得るよう、ＢＷＰの帯域幅以下で周波数ホッピングオフセットを最大にすることができ、それにより物理チャネルの伝送性能を向上させる。
【００４８】
図２Ａは本発明の他の実施例に係る他のＢＷＰの周波数ホッピング設定方法の模式的なフローチャートであり、図２Ａに示される。
【００４９】
２０１、端末はネットワーク装置から送信された物理チャネルを伝送する第１設定情報を受信し、前記第１設定情報は、少なくとも１つのＢＷＰのうちの各ＢＷＰにそれぞれ設定した少なくとも１つの周波数領域オフセットを示すことに用いられる。
【００５０】
２０２、前記端末は前記第１設定情報に基づいて、前記各ＢＷＰの少なくとも１つの周波数領域オフセットを決定する。
【００５１】
周波数領域オフセットとは周波数ホッピングの２つのジャンプの間の周波数オフセット（ｆｒｅｑｕｅｎｃｙ  ｏｆｆｓｅｔ）がリソースブロック（ＲＢ、Ｒｅｓｏｕｒｃｅ  Ｂｌｏｃｋ）の数で示されてもよいことを意味する。
【００５２】
選択肢として、本実施例の可能な実現方式では、前記物理チャネルは物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）及び物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）のうちの少なくとも１つを含んでもよいが、それらに限らない。
【００５３】
選択肢として、本実施例の可能な実現方式では、２０１では、前記端末は具体的に、前記ネットワーク装置が高位レイヤシグナリング又はシステムブロードキャストメッセージによって送信した前記第１設定情報を受信してもよい。
【００５４】
例えば、前記高位レイヤシグナリングは無線リソース制御（ＲＲＣ、Ｒａｄｉｏ  Ｒｅｓｏｕｒｃｅ  Ｃｏｎｔｒｏｌ）シグナリングであってもよく、具体的にＲＲＣシグナリングにおける情報要素（ＩＥ、Ｉｎｆｏｒｍａｔｉｏｎ  Ｅｌｅｍｅｎｔ）に前記第１設定情報を含ませてもよく、前記ＲＲＣシグナリングは従来技術におけるＲＲＣシグナリング、例えばＲＲＣコネクション再設定（ＲＲＣ  ＣＯＮＮＥＣＴＩＯＮ  ＲＥＣＯＮＦＩＧＵＲＡＴＩＯＮ）メッセージ等であってもよく、本実施例は制限せず、従来のＲＲＣシグナリングのＩＥを拡張することにより前記第１設定情報を搬送し、又は前記ＲＲＣシグナリングが従来技術における従来のＲＲＣシグナリングと異なるものであってもよい。
【００５５】
更に、例えば、具体的に前記システムブロードキャストメッセージにおける従来のマスタ情報ブロック（ＭＩＢ、Ｍａｓｔｅｒ  Ｉｎｆｏｒｍａｔｉｏｎ  Ｂｌｏｃｋ）又は（ＳＩＢ、Ｓｙｓｔｅｍ  Ｉｎｆｏｒｍａｔｉｏｎ  Ｂｌｏｃｋ）の空きビット（ｂｉｔ）に前記第１設定情報を含ませてもよく、新しいＳＩＢを追加して前記第１設定情報を搬送してもよい。
【００５６】
本発明では、端末は更にネットワーク装置から送信された、前記少なくとも１つのＢＷＰを設定することを示すための第２設定情報を受信し、更に前記少なくとも１つのＢＷＰのうちの各ＢＷＰの位置を決定できる。
【００５７】
具体的には、端末は具体的に、ネットワーク装置が高位レイヤシグナリング又はシステムブロードキャストメッセージによって送信した前記第２設定情報を受信してもよい。
【００５８】
例えば、前記高位レイヤシグナリングは無線リソース制御（ＲＲＣ、Ｒａｄｉｏ  Ｒｅｓｏｕｒｃｅ  Ｃｏｎｔｒｏｌ）シグナリングであってもよく、具体的にＲＲＣシグナリングにおける情報要素（ＩＥ、Ｉｎｆｏｒｍａｔｉｏｎ  Ｅｌｅｍｅｎｔ）に前記第２設定情報を含ませてもよく、前記ＲＲＣシグナリングは従来技術におけるＲＲＣシグナリング、例えばＲＲＣコネクション再設定（ＲＲＣ  ＣＯＮＮＥＣＴＩＯＮ  ＲＥＣＯＮＦＩＧＵＲＡＴＩＯＮ）メッセージ等であってもよく、本実施例は制限せず、従来のＲＲＣシグナリングのＩＥを拡張することにより前記第２設定情報を搬送し、又は前記ＲＲＣシグナリングが従来技術における従来のＲＲＣシグナリングと異なるものであってもよい。
【００５９】
更に、例えば、具体的に前記システムブロードキャストメッセージにおける従来のマスタ情報ブロック（ＭＩＢ、Ｍａｓｔｅｒ  Ｉｎｆｏｒｍａｔｉｏｎ  Ｂｌｏｃｋ）又は（ＳＩＢ、Ｓｙｓｔｅｍ  Ｉｎｆｏｒｍａｔｉｏｎ  Ｂｌｏｃｋ）の空きビット（ｂｉｔ）に前記第２設定情報を含ませてもよく、新しいＳＩＢを追加して前記第２設定情報を搬送してもよい。
【００６０】
選択肢として、本実施例の可能な実現方式では、図２Ｂに示すように、２０１の後で、前記端末が前記ネットワーク装置から送信された、前記少なくとも１つのＢＷＰのうちの１つのアクティブ化されたＢＷＰを示すための第１制御情報を受信する２０３を更に実行してもよい。このように、端末が前記１つのアクティブ化されたＢＷＰの少なくとも１つの周波数領域オフセットを決定できる。
【００６１】
具体的には、前記端末は具体的に、前記ネットワーク装置がダウンリンク制御情報（ＤＣＩ、Ｄｏｗｎｌｉｎｋ  Ｃｏｎｔｒｏｌ  Ｉｎｆｏｒｍａｔｉｏｎ）又は高位レイヤシグナリングによって送信した前記第１制御情報を受信してもよい。
【００６２】
例えば、前記高位レイヤシグナリングは媒体アクセス制御（ＭＡＣ、Ｍｅｄｉａ  Ａｃｃｅｓｓ  Ｃｏｎｔｒｏｌ）制御要素（ＣＥ、Ｃｏｎｔｒｏｌ  Ｅｌｅｍｅｎｔ）メッセージであってもよく、具体的に新しいＭＡＣ  ＣＥメッセージを追加して前記第１制御情報を搬送してもよい。
【００６３】
選択肢として、本実施例の可能な実現方式では、図２Ｂに示すように、２０１の後で、前記端末が前記ネットワーク装置から送信された、前記少なくとも１つの周波数領域オフセットのうちの１つの使用される周波数領域オフセットを示すための第２制御情報を受信する２０４を更に実行してもよい。このように、端末がアクティブ化されたＢＷＰの１つの使用される周波数領域オフセットを決定できる。
【００６４】
具体的には、前記端末は具体的に、前記ネットワーク装置がダウンリンク制御情報又は高位レイヤシグナリングによって送信した前記第２制御情報を受信してもよい。
【００６５】
例えば、前記高位レイヤシグナリングは媒体アクセス制御（ＭＡＣ、Ｍｅｄｉａ  Ａｃｃｅｓｓ  Ｃｏｎｔｒｏｌ）制御要素（ＣＥ、Ｃｏｎｔｒｏｌ  Ｅｌｅｍｅｎｔ）メッセージであってもよく、具体的に新しいＭＡＣ  ＣＥメッセージを追加して前記第２制御情報を搬送してもよい。
【００６６】
選択肢として、本実施例の可能な実現方式では、２０１の後で、前記端末は更に前記ネットワーク装置から送信された、前記物理チャネルを伝送する第１周波数領域リソースのアクティブ化されたＢＷＰでの位置を示すための第３制御情報を受信してもよい。このように、端末は前記物理チャネルを伝送する第１周波数領域リソースのアクティブ化されたＢＷＰでの位置を決定できる。
【００６７】
具体的には、前記端末は具体的に、前記ネットワーク装置がダウンリンク制御情報又は高位レイヤシグナリングによって送信した前記第３制御情報を受信してもよい。
【００６８】
例えば、前記高位レイヤシグナリングは媒体アクセス制御（ＭＡＣ、Ｍｅｄｉａ  Ａｃｃｅｓｓ  Ｃｏｎｔｒｏｌ）制御要素（ＣＥ、Ｃｏｎｔｒｏｌ  Ｅｌｅｍｅｎｔ）メッセージであってもよく、具体的に新しいＭＡＣ  ＣＥメッセージを追加して前記第３制御情報を搬送してもよい。
【００６９】
選択肢として、本実施例の可能な実現方式では、２０１の後で、前記端末は更にアクティブ化されたＢＷＰの帯域幅、使用される周波数領域オフセット及び前記物理チャネルを伝送する第１周波数領域リソースのアクティブ化されたＢＷＰでの位置に基づき、公式Ｒ２＝（Ｒ１＋Ｗｏｆｆｓｅｔ）ｍｏｄ  Ｗによって前記物理チャネルを伝送する第２周波数領域リソースのアクティブ化されたＢＷＰでの位置を決定してもよく、Ｒ２が前記第２周波数領域リソースのアクティブ化されたＢＷＰでの位置であり、Ｒ１が前記第１周波数領域リソースのアクティブ化されたＢＷＰでの位置であり、Ｗｏｆｆｓｅｔが使用される周波数領域オフセットであり、Ｗがアクティブ化されたＢＷＰの帯域幅であり、更に、前記端末は前記第１周波数領域リソース及び前記第２周波数領域リソースにおいて、前記ネットワーク装置とともに前記物理チャネルを伝送してもよい。
【００７０】
なお、ネットワーク装置は更に高位レイヤシグナリング又はシステムブロードキャストメッセージによって前記端末に前記第１制御情報、前記第２制御情報及び前記第３制御情報のうちの少なくとも１つを送信しなくてもよい。このように、端末は予め設定されたものに基づいて前記第１制御情報、前記第２制御情報及び前記第３制御情報のうちの少なくとも１つで示される内容、例えば、プロトコルにおける決められたものを取得してもよい。
【００７１】
本発明の実施例に係る方法をより明確にするために、同様に、図１Ａ〜図１Ｃに対応する実施例の関連内容を参照してもよく、ここで詳細な説明は省略する。
【００７２】
本実施例では、端末がネットワーク装置から送信された物理チャネルを伝送する、少なくとも１つのＢＷＰのうちの各ＢＷＰにそれぞれ設定した少なくとも１つの周波数領域オフセットを示すための第１設定情報を受信し、更に前記第１設定情報に基づいて前記各ＢＷＰの少なくとも１つの周波数領域オフセットを決定することにより、異なるＢＷＰに対して異なる周波数領域オフセットセットを設定し、各ＢＷＰの帯域幅を十分に活用し、より大きな周波数選択性ゲインを得るよう、ＢＷＰの帯域幅以下で周波数ホッピングオフセットを最大にすることができ、それにより物理チャネルの伝送性能を向上させる。
【００７３】
なお、簡単のため、上記各方法実施例がいずれも一連の動作組み合わせと説明されるが、当業者であればと理解されるように、本発明は説明される動作順序に限らず、本発明に基づき、いくつかのステップは他の順序で行われてもよく、同時に行われてもよい。次に、当業者であればと理解されるように、明細書に説明される実施例はいずれも好適な実施例に属し、関わる動作及びモジュールは本発明に不可欠なものではない。
【００７４】
上記実施例では、各実施例の説明はそれぞれ重点を置いているが、いくつかの実施例における未説明の部分は他の実施例の関連説明を参照してもよい。
【００７５】
図３Ａは本発明の他の実施例に係るネットワーク装置の構造模式図であり、図３Ａに示される。本実施例のネットワーク装置は送信ユニット３１を備えてもよく、該送信ユニット３１は物理チャネルを伝送する、少なくとも１つのＢＷＰのうちの各ＢＷＰにそれぞれ設定した少なくとも１つの周波数領域オフセットを示すための第１設定情報を端末に送信することに用いられてもよい。
【００７６】
周波数領域オフセットとは周波数ホッピングの２つのジャンプの間の周波数オフセット（ｆｒｅｑｕｅｎｃｙ  ｏｆｆｓｅｔ）がリソースブロック（ＲＢ、Ｒｅｓｏｕｒｃｅ  Ｂｌｏｃｋ）の数で示されてもよいことを意味する。
【００７７】
選択肢として、本実施例の可能な実現方式では、前記物理チャネルは物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）及び物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）のうちの少なくとも１つを含んでもよいが、それらに限らない。
【００７８】
選択肢として、本実施例の可能な実現方式では、前記送信ユニット３１は、具体的に、ＲＲＣシグナリング又はシステムブロードキャストメッセージによって前記端末に前記第１設定情報を送信することに用いられてもよい。
【００７９】
選択肢として、本実施例の可能な実現方式では、前記送信ユニット３１は、更に、前記少なくとも１つのＢＷＰのうちの１つのアクティブ化されたＢＷＰを示すための第１制御情報を前記端末に送信することに用いられてもよい。
【００８０】
具体的には、前記送信ユニット３１は、具体的に、ダウンリンク制御情報又は媒体アクセス制御制御要素メッセージによって前記端末に前記第１制御情報を送信することに用いられてもよい。
【００８１】
選択肢として、本実施例の可能な実現方式では、前記送信ユニット３１は、更に、前記少なくとも１つの周波数領域オフセットのうちの１つの使用される周波数領域オフセットを示すための第２制御情報を前記端末に送信することに用いられてもよい。
【００８２】
具体的には、前記送信ユニット３１は、具体的に、ダウンリンク制御情報又は媒体アクセス制御制御要素メッセージによって前記端末に前記第２制御情報を送信することに用いられてもよい。
【００８３】
選択肢として、本実施例の可能な実現方式では、前記送信ユニット３１は、更に、前記物理チャネルを伝送する第１周波数領域リソースのアクティブ化されたＢＷＰでの位置を示すための第３制御情報を前記端末に送信することに用いられてもよい。
【００８４】
具体的には、前記送信ユニット３１は、具体的に、ダウンリンク制御情報又は媒体アクセス制御制御要素メッセージによって前記端末に前記第３制御情報を送信することに用いられてもよい。
【００８５】
選択肢として、本実施例の可能な実現方式では、図３Ｂに示すように、本実施例に係るネットワーク装置は更に伝送ユニット３２を備えてもよく、該伝送ユニット３２は前記物理チャネルを伝送する第１周波数領域リソース及び前記物理チャネルを伝送する第２周波数領域リソースにおいて、前記端末とともに前記物理チャネルを伝送することに用いられてもよく、前記第２周波数領域リソースのアクティブ化されたＢＷＰでの位置がアクティブ化されたＢＷＰの帯域幅、使用される周波数領域オフセット及び前記物理チャネルを伝送する第１周波数領域リソースのアクティブ化されたＢＷＰでの位置に基づいて公式Ｒ２＝（Ｒ１＋Ｗｏｆｆｓｅｔ）ｍｏｄ  Ｗによって決定されたものであり、Ｒ２が前記第２周波数領域リソースのアクティブ化されたＢＷＰでの位置であり、Ｒ１が前記第１周波数領域リソースのアクティブ化されたＢＷＰでの位置であり、Ｗｏｆｆｓｅｔが使用される周波数領域オフセットであり、Ｗがアクティブ化されたＢＷＰの帯域幅である。
【００８６】
なお、図１Ａ〜図１Ｈに対応する実施例における方法は本実施例に係るネットワーク装置により実現されてもよい。詳細な説明は図１Ａ〜図１Ｈに対応する実施例の関連内容を参照してもよく、ここで詳細な説明は省略する。
【００８７】
本実施例では、送信ユニットは物理チャネルを伝送する第１設定情報を端末に送信し、前記第１設定情報は、少なくとも１つのＢＷＰのうちの各ＢＷＰにそれぞれ設定した少なくとも１つの周波数領域オフセットを示すことに用いられることにより、異なるＢＷＰに対して異なる周波数領域オフセットセットを設定し、各ＢＷＰの帯域幅を十分に活用し、より大きな周波数選択性ゲインを得るよう、ＢＷＰの帯域幅以下で周波数ホッピングオフセットを最大にすることができ、それにより物理チャネルの伝送性能を向上させる。
【００８８】
図４Ａは本発明の他の実施例に係る端末の構造模式図であり、図４Ａに示される。本実施例のネットワーク装置は受信ユニット４１及び決定ユニット４２を備えてもよい。受信ユニット４１は、ネットワーク装置から送信された物理チャネルを伝送する、少なくとも１つのＢＷＰのうちの各ＢＷＰにそれぞれ設定した少なくとも１つの周波数領域オフセットを示すための第１設定情報を受信することに用いられ、決定ユニット４２は、前記第１設定情報に基づいて前記各ＢＷＰの少なくとも１つの周波数領域オフセットを決定することに用いられる。
【００８９】
周波数領域オフセットとは周波数ホッピングの２つのジャンプの間の周波数オフセット（ｆｒｅｑｕｅｎｃｙ  ｏｆｆｓｅｔ）がリソースブロック（ＲＢ、Ｒｅｓｏｕｒｃｅ  Ｂｌｏｃｋ）の数で示されてもよいことを意味する。
【００９０】
選択肢として、本実施例の可能な実現方式では、前記物理チャネルは物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）及び物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）のうちの少なくとも１つを含んでもよいが、それらに限らない。
【００９１】
選択肢として、本実施例の可能な実現方式では、前記受信ユニット４１は、具体的に、前記ネットワーク装置がＲＲＣシグナリング又はシステムブロードキャストメッセージによって送信した前記第１設定情報を受信することに用いられてもよい。
【００９２】
選択肢として、本実施例の可能な実現方式では、前記受信ユニット４１は、更に、前記ネットワーク装置から送信された、前記少なくとも１つのＢＷＰのうちの１つのアクティブ化されたＢＷＰを示すための第１制御情報を受信することに用いられてもよく、前記決定ユニット４２は、更に、前記１つのアクティブ化されたＢＷＰの少なくとも１つの周波数領域オフセットを決定することに用いられてもよい。
【００９３】
具体的には、前記受信ユニット４１は、具体的に、前記ネットワーク装置がダウンリンク制御情報又は媒体アクセス制御制御要素メッセージによって送信した前記第１制御情報を受信することに用いられてもよい。
【００９４】
選択肢として、本実施例の可能な実現方式では、前記受信ユニット４１は、更に、前記ネットワーク装置から送信された、前記少なくとも１つの周波数領域オフセットのうちの１つの使用される周波数領域オフセットを示すための第２制御情報を受信することに用いられてもよく、前記決定ユニット４２は、更に、アクティブ化されたＢＷＰの１つの使用される周波数領域オフセットを決定することに用いられてもよい。
【００９５】
具体的には、前記受信ユニット４１は、具体的に、前記ネットワーク装置がダウンリンク制御情報又は媒体アクセス制御制御要素メッセージによって送信した前記第２制御情報を受信することに用いられてもよい。
【００９６】
選択肢として、本実施例の可能な実現方式では、前記受信ユニット４１は、更に、前記ネットワーク装置から送信された、前記物理チャネルを伝送する第１周波数領域リソースのアクティブ化されたＢＷＰでの位置を示すための第３制御情報を受信することに用いられてもよい。
【００９７】
具体的には、前記受信ユニット４１は、具体的に、前記ネットワーク装置がダウンリンク制御情報又は媒体アクセス制御制御要素メッセージによって送信した前記第３制御情報を受信することに用いられてもよい。
【００９８】
選択肢として、本実施例の可能な実現方式では、図４Ｂに示すように、本実施例に係るネットワーク装置は更に伝送ユニット４３を備えてもよく、該伝送ユニット４３はアクティブ化されたＢＷＰの帯域幅、使用される周波数領域オフセット及び前記物理チャネルを伝送する第１周波数領域リソースのアクティブ化されたＢＷＰでの位置に基づき、公式Ｒ２＝（Ｒ１＋Ｗｏｆｆｓｅｔ）ｍｏｄ  Ｗによって前記物理チャネルを伝送する第２周波数領域リソースのアクティブ化されたＢＷＰでの位置を決定し、Ｒ２が前記第２周波数領域リソースのアクティブ化されたＢＷＰでの位置であり、Ｒ１が前記第１周波数領域リソースのアクティブ化されたＢＷＰでの位置であり、Ｗｏｆｆｓｅｔが使用される周波数領域オフセットであり、Ｗがアクティブ化されたＢＷＰの帯域幅であることと、前記第１周波数領域リソース及び前記第２周波数領域リソースにおいて、前記ネットワーク装置とともに前記物理チャネルを伝送することとに用いられてもよい。
【００９９】
なお、図２Ａに対応する実施例における方法は本実施例に係る端末により実現されてもよい。詳細な説明は図２Ａに対応する実施例の関連内容を参照してもよく、ここで詳細な説明は省略する。
【０１００】
本実施例では、受信ユニットがネットワーク装置から送信された物理チャネルを伝送する、少なくとも１つのＢＷＰのうちの各ＢＷＰにそれぞれ設定した少なくとも１つの周波数領域オフセットを示すための第１設定情報を受信し、更に決定ユニットが前記第１設定情報に基づいて前記各ＢＷＰの少なくとも１つの周波数領域オフセットを決定することにより、異なるＢＷＰに対して異なる周波数領域オフセットセットを設定し、各ＢＷＰの帯域幅を十分に活用し、より大きな周波数選択性ゲインを得るよう、ＢＷＰの帯域幅以下で周波数ホッピングオフセットを最大にすることができ、それにより物理チャネルの伝送性能を向上させる。
【０１０１】
当業者であれば明確に理解できるように、説明を容易且つ簡単にするために、上記説明されるシステム、装置及びユニットの具体的な動作過程は、前述の方法実施例における対応過程を参照してもよく、ここで詳細な説明は省略する。
【０１０２】
本発明に係るいくつかの実施例において、理解されるように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１０３】
分離部材として説明される前記ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに配置されてもよい。実際の必要に応じて、その一部又は全部のユニットを選択して本実施例案の目的を実現してもよい。
【０１０４】
また、本発明の実施例では、各機能ユニットは１つの処理ユニットに統合されてもよく、各ユニットは独立して物理的に存在してもよく、２つ又は２つ以上のユニットは１つのユニットに統合されてもよい。上記統合されたユニットはハードウェアの形式で実現されてもよく、ハードウェアプラスソフトウェア機能ユニットの形式で実現されてもよい。
【０１０５】
最後に、以上の実施例は本発明の技術案を説明するためのものに過ぎず、制限するためのものではなく、上記実施例を参照して本発明を詳しく説明したが、当業者であればと理解されるように、上記各実施例に記載の技術案を修正したり、その一部の技術的特徴を等価置換したりすることが可能であり、これらの修正や置換は、対応する技術案を本質的に本発明の各実施例の技術案の趣旨や範囲から逸脱することがない。
【図１Ａ】
2021515430.tif 000003
【図１Ｂ】
2021515430.tif 000004
【図１Ｃ】
2021515430.tif 000005
【図２Ａ】
2021515430.tif 000006
【図２Ｂ】
2021515430.tif 000007
【図３Ａ】
2021515430.tif 000008
【図３Ｂ】
2021515430.tif 000009
【図４Ａ】
2021515430.tif 000010
【図４Ｂ】
2021515430.tif 000011
【手続補正書】
【提出日】令和2年12月17日(2020.12.17)
【手続補正１】
【補正対象書類名】明細書
【補正対象項目名】００３８
【補正方法】変更
【補正の内容】
【００３８】
本発明の実施例に係る方法をより明確にするために、以下に異なるＢＷＰに対して１つの周波数領域オフセットを設定する場合、及び異なるＢＷＰに対して２つの異なる周波数領域オフセットセットを設定する場合を例とする。
【手続補正２】
【補正対象書類名】明細書
【補正対象項目名】００８６
【補正方法】変更
【補正の内容】
【００８６】
なお、図１Ａに対応する実施例における方法は本実施例に係るネットワーク装置により実現されてもよい。詳細な説明は図１Ａに対応する実施例の関連内容を参照してもよく、ここで詳細な説明は省略する。
【手続補正３】
【補正対象書類名】明細書
【補正対象項目名】００８８
【補正方法】変更
【補正の内容】
【００８８】
図４Ａは本発明の他の実施例に係る端末の構造模式図であり、図４Ａに示される。本実施例の端末は受信ユニット４１及び決定ユニット４２を備えてもよい。受信ユニット４１は、ネットワーク装置から送信された物理チャネルを伝送する、少なくとも１つのＢＷＰのうちの各ＢＷＰにそれぞれ設定した少なくとも１つの周波数領域オフセットを示すための第１設定情報を受信することに用いられ、決定ユニット４２は、前記第１設定情報に基づいて前記各ＢＷＰの少なくとも１つの周波数領域オフセットを決定することに用いられる。
【手続補正４】
【補正対象書類名】明細書
【補正対象項目名】００９８
【補正方法】変更
【補正の内容】
【００９８】
選択肢として、本実施例の可能な実現方式では、図４Ｂに示すように、本実施例に係る端末は更に伝送ユニット４３を備えてもよく、該伝送ユニット４３はアクティブ化されたＢＷＰの帯域幅、使用される周波数領域オフセット及び前記物理チャネルを伝送する第１周波数領域リソースのアクティブ化されたＢＷＰでの位置に基づき、公式Ｒ２＝（Ｒ１＋Ｗｏｆｆｓｅｔ）ｍｏｄ  Ｗによって前記物理チャネルを伝送する第２周波数領域リソースのアクティブ化されたＢＷＰでの位置を決定し、Ｒ２が前記第２周波数領域リソースのアクティブ化されたＢＷＰでの位置であり、Ｒ１が前記第１周波数領域リソースのアクティブ化されたＢＷＰでの位置であり、Ｗｏｆｆｓｅｔが使用される周波数領域オフセットであり、Ｗがアクティブ化されたＢＷＰの帯域幅であることと、前記第１周波数領域リソース及び前記第２周波数領域リソースにおいて、前記ネットワーク装置とともに前記物理チャネルを伝送することとに用いられてもよい。
【手続補正５】
【補正対象書類名】特許請求の範囲
【補正対象項目名】全文
【補正方法】変更
【補正の内容】
【特許請求の範囲】
【請求項１】
ＢＷＰの周波数ホッピング設定方法であって、
ネットワーク装置は物理チャネルを伝送する第１設定情報を端末に送信し、前記第１設定情報は、少なくとも１つのＢＷＰのうちの各ＢＷＰにそれぞれ設定した少なくとも１つの周波数領域オフセットを示すことに用いられることを含むことを特徴とするＢＷＰの周波数ホッピング設定方法。
【請求項２】
前記物理チャネルは物理アップリンク共有チャネル、物理ダウンリンク共有チャネル、物理アップリンク制御チャネル及び物理ダウンリンク制御チャネルのうちの少なくとも１つを含むことを特徴とする請求項１に記載の方法。
【請求項３】
前記ネットワーク装置が物理チャネルを伝送する第１設定情報を端末に送信した後、更に、
前記ネットワーク装置が前記少なくとも１つのＢＷＰのうちの１つのアクティブ化されたＢＷＰを示すための第１制御情報を前記端末に送信することを含むことを特徴とする請求項１に記載の方法。
【請求項４】
前記ネットワーク装置が物理チャネルを伝送する第１設定情報を端末に送信した後、更に、
前記ネットワーク装置が前記少なくとも１つの周波数領域オフセットのうちの１つの使用される周波数領域オフセットを示すための第２制御情報を前記端末に送信することを含むことを特徴とする請求項１に記載の方法。
【請求項５】
前記ネットワーク装置が物理チャネルを伝送する第１設定情報を端末に送信した後、更に、
前記ネットワーク装置が前記物理チャネルを伝送する第１周波数領域リソースのアクティブ化されたＢＷＰでの位置を示すための第３制御情報を前記端末に送信することを含むことを特徴とする請求項１に記載の方法。
【請求項６】
前記ネットワーク装置が物理チャネルを伝送する第１設定情報を端末に送信した後、更に、
前記ネットワーク装置が前記物理チャネルを伝送する第１周波数領域リソース及び前記物理チャネルを伝送する第２周波数領域リソースにおいて、前記端末とともに前記物理チャネルを伝送することを含み、前記第２周波数領域リソースのアクティブ化されたＢＷＰでの位置がアクティブ化されたＢＷＰの帯域幅、使用される周波数領域オフセット及び前記物理チャネルを伝送する第１周波数領域リソースのアクティブ化されたＢＷＰでの位置に基づいて、公式Ｒ２＝（Ｒ１＋Ｗｏｆｆｓｅｔ）ｍｏｄ  Ｗによって決定されたものであり、Ｒ２が前記第２周波数領域リソースのアクティブ化されたＢＷＰでの位置であり、Ｒ１が前記第１周波数領域リソースのアクティブ化されたＢＷＰでの位置であり、Ｗｏｆｆｓｅｔが使用される周波数領域オフセットであり、Ｗがアクティブ化されたＢＷＰの帯域幅であることを特徴とする請求項１〜５のいずれか１項に記載の方法。
【請求項７】
ＢＷＰの周波数ホッピング設定方法であって、
端末はネットワーク装置から送信された物理チャネルを伝送する第１設定情報を受信し、前記第１設定情報は、少なくとも１つのＢＷＰのうちの各ＢＷＰにそれぞれ設定した少なくとも１つの周波数領域オフセットを示すことに用いられることと、
前記端末は前記第１設定情報に基づいて、前記各ＢＷＰの少なくとも１つの周波数領域オフセットを決定することと、を含むことを特徴とするＢＷＰの周波数ホッピング設定方法。
【請求項８】
前記物理チャネルが物理アップリンク共有チャネル、物理ダウンリンク共有チャネル、物理アップリンク制御チャネル及び物理ダウンリンク制御チャネルのうちの少なくとも１つを含むことを特徴とする請求項７に記載の方法。
【請求項９】
前記端末がネットワーク装置から送信された物理チャネルを伝送する第１設定情報を受信した後、更に、
前記端末が前記ネットワーク装置から送信された、前記少なくとも１つのＢＷＰのうちの１つのアクティブ化されたＢＷＰを示すための第１制御情報を受信することと、
前記端末が前記１つのアクティブ化されたＢＷＰの少なくとも１つの周波数領域オフセットを決定することと、を含むことを特徴とする請求項７に記載の方法。
【請求項１０】
前記端末がネットワーク装置から送信された物理チャネルを伝送する第１設定情報を受信した後、更に、
前記端末が前記ネットワーク装置から送信された、前記少なくとも１つの周波数領域オフセットのうちの１つの使用される周波数領域オフセットを示すための第２制御情報を受信することと、
前記端末がアクティブ化されたＢＷＰの１つの使用される周波数領域オフセットを決定することと、を含むことを特徴とする請求項７に記載の方法。
【請求項１１】
前記端末がネットワーク装置から送信された物理チャネルを伝送する第１設定情報を受信した後、更に、
前記端末が前記ネットワーク装置から送信された、前記物理チャネルを伝送する第１周波数領域リソースのアクティブ化されたＢＷＰでの位置を示すための第３制御情報を受信することを含むことを特徴とする請求項７に記載の方法。
【請求項１２】
前記端末がネットワーク装置から送信された物理チャネルを伝送する第１設定情報を受信した後、更に、
前記端末がアクティブ化されたＢＷＰの帯域幅、使用される周波数領域オフセット及び前記物理チャネルを伝送する第１周波数領域リソースのアクティブ化されたＢＷＰでの位置に基づき、公式Ｒ２＝（Ｒ１＋Ｗｏｆｆｓｅｔ）ｍｏｄ  Ｗによって前記物理チャネルを伝送する第２周波数領域リソースのアクティブ化されたＢＷＰでの位置を決定し、Ｒ２が前記第２周波数領域リソースのアクティブ化されたＢＷＰでの位置であり、Ｒ１が前記第１周波数領域リソースのアクティブ化されたＢＷＰでの位置であり、Ｗｏｆｆｓｅｔが使用される周波数領域オフセットであり、Ｗがアクティブ化されたＢＷＰの帯域幅であることと、
前記端末が前記第１周波数領域リソース及び前記第２周波数領域リソースにおいて、前記ネットワーク装置とともに前記物理チャネルを伝送することと、を含むことを特徴とする請求項７〜１１のいずれか１項に記載の方法。
【請求項１３】
ネットワーク装置であって、プロセッサとプログラム命令が記憶されるメモリとを備え、前記プログラム命令は前記プロセッサに実行されることによって請求項１〜６のいずれか１つに記載の方法を実行するネットワーク装置。
【請求項１４】
端末であって、プロセッサとプログラム命令が記憶されるメモリとを備え、前記プログラム命令は前記プロセッサに実行されることによって請求項７〜１２のいずれか１つに記載の方法を実行する端末。
【国際調査報告】
2021515430.tif 000012
2021515430.tif 000013
2021515430.tif 000014
2021515430.tif 000015
2021515430.tif 000016
2021515430.tif 000017